【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
情報が表示される表示面と、
入力されたデータに応じた強さの光を発生し前記表示面に出力する光学素子をそれぞれ含む複数の画素領域と、
入射光をそれぞれ受光して光電変換する受光素子を対で各々が含む複数のセンサ領域と、
前記センサ領域内で第１受光素子と前記表示面との間に配置され、可視光域の入射光を吸収して遮断し、非可視光域の入射光を透過する光学フィルタ部と、
前記センサ領域内で、前記第１受光素子に対し近接配置される第２受光素子と前記表示面との間に配置され、入射光を吸収して遮断する光吸収性の遮光部と、
前記第１受光素子の出力と、前記第２受光素子との出力から差分を求める演算部と、
を有するディスプレイ装置。
【請求項２】
前記光学フィルタ部が、特定の波長域の光を選択的に吸収し、その他の波長域の光を透過させる有機顔料をレジストに分散させた第１顔料分散レジストから形成され、
前記遮光部が、光の全波長域について吸収性をもつ有機または無機の顔料をレジストに分散させた第２顔料分散レジストから形成されている
請求項１に記載のディスプレイ装置。
【請求項３】
前記光学フィルタ部が、特定の第１波長域の光を選択的に吸収し、その他の第２波長域の光を透過させる有機顔料をレジストに分散させた第１顔料分散レジストから形成され、
前記遮光部が、
前記第１顔料分散レジストの層と、
前記第１顔料分散レジストの層の前記表示面と反対の側に配置され、前記第２波長域の光を選択的に吸収し、前記第１波長域の光を透過させる有機顔料をレジストに分散させた第３顔料分散レジストの層と、を含む
請求項１に記載のディスプレイ装置。
【請求項４】
前記光学フィルタ部が、特定の第１波長域の光を選択的に吸収し、その他の第２波長域の光を透過させる有機顔料をレジストに分散させた第１顔料分散レジストから形成され、
前記遮光部が、
金属膜と、
少なくとも前記金属膜の前記表示面と反対の面に形成された反射防止膜と、
を含む
請求項１〜３に記載のディスプレイ装置。
【請求項５】
前記反射防止膜は、入射光を減衰する光吸収性をもつ反射防止膜である
請求項４に記載のディスプレイ装置。
【請求項６】
情報が表示される表示面と、
入力されたデータに応じた強さの光を発生し前記表示面に出力する光学素子をそれぞれ含む複数の画素領域と、
入射光をそれぞれ受光して光電変換する受光素子を対で各々が含む複数のセンサ領域と、
前記センサ領域内で第１受光素子と前記表示面との間に配置され、可視光域の入射光を吸収して遮断し、非可視光域の入射光を透過する光学フィルタ部と、
前記センサ領域内で、前記第１受光素子に対し近接配置される第２受光素子と前記表示面との間に配置され、前記表示面側から入射する特定波長域の非可視光を反射し、特定波長域以外の波長域の光を透過し、前記表示面側と反対の側から入射する光を透過する波長選択ミラー部と、
前記第１受光素子の出力と、前記第２受光素子との出力から差分を求める演算部と、
を有するディスプレイ装置。
【請求項７】
前記波長選択ミラー部が、前記表示面側から入射する特定波長域の非可視光を選択的に反射し、前記表示面側から入射する前記特定波長域以外の非可視光および可視光、ならびに、前記表示面側と反対の側から入射する光を透過する、コレステリック液晶組成物を含有する層を含む
請求項６に記載のディスプレイ装置。
【手続補正２】
【補正対象書類名】明細書
【補正対象項目名】０００２
【補正方法】変更
【補正の内容】
【０００２】
画像や文字等の情報を表示することが可能なディスプレイ装置として、液晶表示装置、有機ＥＬ表示装置、電気泳動法を用いた表示装置が知られている。
ディスプレイ装置の薄型化に伴って、映像や文字情報等の表示という本来の機能に加えて、ユーザの指示等を入力する入力装置等の機能を併せ持つ多機能化が要求されている。この要求に応えるものとして、ユーザの指やスタイラスペン（いわゆるタッチペン等）が表示画面に接触または接近したことを検出するディスプレイ装置が知られている。
【手続補正３】
【補正対象書類名】明細書
【補正対象項目名】００１２
【補正方法】変更
【補正の内容】
【００１２】
ところで、本願の出願人は、ディスプレイ装置の表示面における位置検出に関し、２つのセンサを対で設け、第１のセンサ（光電センサ）の検出値から、第２のセンサ（ノイズ除去用センサ）の検出値を減算することで被検出物の検出信号のＳ／Ｎ比を向上する技術を提案している（例えば、特開２００７−３０６８９６号公報参照）。
【手続補正４】
【補正対象書類名】明細書
【補正対象項目名】００３５
【補正方法】変更
【補正の内容】
【００３５】
なお、画素領域ＰＡ１において、ＴＦＴアレイ基板２０１に、この他、データ電極（一般に、Ｘ電極、データ信号線、ソース信号線と呼ばれることもある）、液晶駆動用のスイッチング素子として機能するＴＦＴ、アクティブマトリックス動作のための信号保持容量（液晶の容量を補助するため、補助容量と呼ばれることもある）としてのキャパシタ等が設けられる。また、図１及び図２では、ＴＦＴアレイ基板２０１には、適宜な位置に保護膜や絶縁膜等が設けられる。
図１に示すように、特に液晶パネル２００の前面の保護膜表面を「表示面２００Ａ」と呼ぶ。
【手続補正５】
【補正対象書類名】明細書
【補正対象項目名】００３６
【補正方法】変更
【補正の内容】
【００３６】
ＣＦ基板２０２は、基体としてガラス基板２１２を有している。ガラス基板２１２には、各種の部材が積層的に設けられている。
具体的には、ガラス基板２１２の表示面側には、光を偏光に変換する偏光板２０７が貼られている。また、ガラス基板２１２の液晶層２０３側の面には、ガラス基板２１２側から近い方から順に、画素ＰＩＸｒ,ＰＩＸｇ,ＰＩＸｂごとに設けられた赤フィルタ２１Ｒ、緑フィルタ２１Ｇ、青フィルタ２１Ｂ（以下、カラーフィルタ２１と呼ぶことがある）と、カラーフィルタ２１による凹凸を平坦化するための平坦化膜２１３と、液晶層２０３に電圧を印加するために複数の画素ＰＩＸｒ,ＰＩＸｇ,ＰＩＸｂに共通に設けられた共通電極２１１と、液晶層２０３を配向させるための配向膜２１４とが積層されている。
【手続補正６】
【補正対象書類名】明細書
【補正対象項目名】００３７
【補正方法】変更
【補正の内容】
【００３７】
カラーフィルタ２１は、カラーフィルタ層２０４に形成され、所定の波長域の可視光（所定の色の光）を透過させ、その波長域以外の可視光を吸収するものである。可視光以外の波長域、特に赤外光（ＩＲ光）については後述する。
可視光における所定の波長域に関し、例えば、国際照明委員会（CIE：Commission Internationale de l'Eclairage）では、赤色の単色光は波長が700［nm］、緑色の単色光は波長が546.1［nm］、青色の単色光は波長が435.8［nm］と定義されており、赤フィルタ２１Ｒ、緑フィルタ２１Ｇ、青フィルタ２１Ｂはそれぞれ、上記の波長を含む又は上記の波長に近い波長域（例えば、50〜120［nm］程度の大きさの範囲）において、透過率が高くなる（基本的には、各波長における透過率の相対的な高低により把握されるが、絶対的な高さとしては、例えば、60[nm]以上）ように形成されている。カラーフィルタ２１は、顔料が用いられるものであってもよいし、染料が用いられるものであってもよい。
【手続補正７】
【補正対象書類名】明細書
【補正対象項目名】００４８
【補正方法】変更
【補正の内容】
【００４８】
＜液晶表示装置の組み立て＞
図３に、図１に示す構成の分解斜視図を示す。
液晶パネル２００は、ＴＦＴアレイ基板２０１に画素回路、および、後述するセンサ読み出し回路等を表示面側に形成した後、配向膜２１０（図２）形成する。ＴＦＴアレイ基板２０１の他方面に、カラーフィルタ層２０４（図１,図２）と配向膜２１４（図２）を形成し、スペーサ（不図示）を形成した後、この形成面側が、ＴＦＴアレイ基板２０１の他方面に対面するように、２つの基板を張り合わせる。その後、液晶をスペーサにより形成された基板の対向空間に封入してシールする。ＴＦＴアレイ基板２０１の一方面に偏光板２０６を配置し、ＣＦ基板２０２の他方面に偏光板２０７を配置する。
【手続補正８】
【補正対象書類名】明細書
【補正対象項目名】０１０６
【補正方法】変更
【補正の内容】
【０１０６】
図１３に、コレステリック選択反射膜７３の構造を示す。また、図１４に、コレステリック選択反射膜７３の分光反射率特性を示す。
コレステリック選択反射膜７３の選択反射波長は、λ＝850［nm］に設定されており、コレステリック回転方向が右まわり、または左まわりの１層構造（図１３（Ａ））と、右回りおよび左まわりの２層積層構造（図１３（Ｂ））の何れかを用いることができる。図１３（Ａ）の場合は、ＶＡ、ＥＣＢ等のλ／４板をパネル外側または図２の配向膜２１４と偏光板２０７との間等に配置してもよい。
このλ／４板を配置したモードで、かつ、赤外光での偏光度が十分ある偏光板２０７等を用いた場合には、パネル入射光が円偏光になっているので１層構造で十分である。上記条件を満たさない場合には、２層構造にすることが有効である。
【手続補正９】
【補正対象書類名】図面
【補正対象項目名】図２
【補正方法】変更
【補正の内容】
【図２】
2009151039.tif 000001
【手続補正１０】
【補正対象書類名】図面
【補正対象項目名】図８
【補正方法】変更
【補正の内容】
【図８】
2009151039.tif 000002
【手続補正１１】
【補正対象書類名】図面
【補正対象項目名】図１０
【補正方法】変更
【補正の内容】
【図１０】
2009151039.tif 000003
【手続補正１２】
【補正対象書類名】図面
【補正対象項目名】図１２
【補正方法】変更
【補正の内容】
【図１２】
2009151039.tif 000004